(57)【要約】【課題】開閉蓋を閉塞してシールなどで貼着した場合であっても、吊り下げて陳列する形態と、積み重ねて陳列する形態との間で簡単に変更できる梱包箱を提供すること。【解決手段】掛止片１６は、小幅部５０が第１上側ガイド片４０の内面と第２上側ガイド片４４の内面を通り第１下側ガイド片４２の外面に配置され、大幅部５２が第２下側ガイド片４６の外面上に位置して側面１８の内面に配置されることで箱本体14に組み込まれる。大幅部５２が第２の切れ目３２の両側の側面１８部分に係止することで、端面２０からの掛止片１６の最大突出位置（イ）が決定される。大幅部５２が第２下側ガイド片４６の基端４６Ａに係止することで、端面２０からの掛止片１６の最大没入位置（ロ）が決定される。最大突出位置（イ）において端面２０から離れた小幅部５０の箇所に、フックへの係止を可能とした掛止部５４が形成されている。【選択図】図１
2008114900.tif 000002
【特許請求の範囲】
【請求項１】
箱本体と、掛止片とを備える梱包箱であって、
前記箱本体は、幅および長さを有する側面と、前記側面の長手方向の端部に位置する端面とを有し、
前記側面は、
前記端面寄りの前記側面の箇所に、前記長手方向と交差する方向に延在する第１の切れ目が形成されてこの第１の切れ目と前記端面に臨む前記側面の縁との間の前記側面部分により構成された第１上側ガイド片と、
前記第１の切れ目よりも前記長手方向に沿って前記端面から離れた前記側面の箇所に、前記長手方向と交差する方向に延在する第２の切れ目が形成されてこの第２の切れ目と前記第１の切れ目との間の前記側面部分により構成された第１下側ガイド片と、
前記第２の切れ目よりも前記長手方向に沿って前記端面から離れた前記側面部分により構成された第２上側ガイド片と、
前記第２の切れ目よりも前記長手方向に沿って前記端面から離れた前記側面の箇所に、前記長手方向と交差する方向に第３の切れ目が形成されると共に、前記第３の切れ目の両端から前記長手方向と平行する方向で前記端面から離れる方向に延在する第４の切れ目と第５の切れ目が形成され、それら第３、第４、第５の切れ目により構成された第２下側ガイド片とを備え、
それらガイド片は、それぞれ前記箱本体の内部に臨む内面と前記箱本体の外部に臨む外面とを有し、
前記掛止片は、
前記第１の切れ目および前記第２の切れ目の長さよりも小さい寸法の幅で延在する小幅部と、前記第２の切れ目の長さよりも大きい寸法の幅で延在する大幅部とを備え、
前記掛止片は、前記小幅部が前記第１上側ガイド片の内面と前記第２上側ガイド片の内面を通り前記第１下側ガイド片の外面に配置され、前記大幅部が前記第２下側ガイド片の外面上に位置して側面の内面に配置されることで前記箱本体に組み込まれ、
前記大幅部が前記第２の切れ目の両側の側面部分に係止することで、前記端面からの前記掛止片の最大突出位置が決定され、
前記大幅部が第４の切れ目の先端と第５の切れ目の先端との間に位置する前記第２下側ガイド片の基端に係止することで、前記小幅部の先端が前記端面から突出せずに前記第１上側ガイド片の内面に位置する前記掛止片の最大没入位置が決定され、
前記最大突出位置において前記端面から離れた前記小幅部の箇所に、フックへの掛止を可能とした掛止部が形成されている、
ことを特徴とする梱包箱。
【請求項２】
前記大幅部は、前記第２下側ガイド片の幅よりも大きな幅で前記長手方向に延在形成された開口を備え、
前記大幅部は、前記開口よりも前記小幅部寄りに位置し前記長手方向と直交する方向に延在する前部を有し、
前記掛止片の前記箱本体への組み込み時に前記大幅部が前記第２下側ガイド片の外面上に位置して側面の内面に配置される箇所と、前記最大没入位置において前記大幅部が第４の切れ目の先端と第５の切れ目の先端との間に位置する前記第２下側ガイド片の基端に係止する箇所は、前記前部である、
ことを特徴とする請求項１記載の梱包箱。
【請求項３】
前記箱本体は、直方体状を呈し、
前記側面は長辺と短辺を有する長方形を呈し、
前記第１の切れ目、前記第２の切れ目、前記第３の切れ目は前記短辺に平行し、
前記第４の切れ目、前記第５の切れ目は前記長辺に平行して同じ長さで形成されている、
ことを特徴とする請求項１記載の梱包箱。
【請求項４】
前記梱包箱は、直方体状を呈し、
前記大幅部の幅は、前記大幅部の幅方向の両端に位置する辺が前記箱本体の内部において、前記箱本体の前記側面の幅方向の両端に直交して繋がる２つの側面に接触して前記長手方向に案内される寸法で形成されている、
ことを特徴とする請求項１記載の梱包箱。
【請求項５】
前記箱本体は、直方体状を呈し、
前記側面は長辺と短辺を有する長方形を呈し、
前記第１の切れ目、前記第２の切れ目、前記第３の切れ目は前記短辺に平行し、それらの長さの中心を、前記短辺の中心を通り前記長辺に平行して延在する直線上に位置させて形成されている、
ことを特徴とする請求項１記載の梱包箱。
【請求項６】
前記箱本体および前記掛止片は透明な合成樹脂製の薄板材で形成され、梱包箱はめがねを収容するめがね梱包箱である、
ことを特徴とする請求項１記載の梱包箱。
【発明の詳細な説明】
【技術分野】
【０００１】
本発明は、吊り下げて商品を陳列する場合と、積み重ねて商品を陳列する場合の双方に簡単に対応できる梱包箱に関する。
【背景技術】
【０００２】
従来、吊り下げて商品を陳列する場合と、積み重ねて商品を陳列する場合の双方に対応できるようにした梱包箱は知られている（特許文献１、特許文献２、特許文献３）。
【特許文献１】特開平７−２４２２５０
【特許文献２】特開２００４−１９６３１０
【特許文献３】特開２００４−２８４６３１
【発明の開示】
【発明が解決しようとする課題】
【０００３】
しかしながら、何れの従来の梱包箱も、吊り下げて陳列する形態とし開閉蓋を閉塞してシールなどで貼着した場合に、積み重ねて陳列する形態とするには、手間がかかり、簡単に対応することができない不具合がある。
本発明は前記事情に鑑み案出されたものであって、本発明の目的は、開閉蓋を閉塞してシールなどで貼着した場合であっても、吊り下げて陳列する形態と、積み重ねて陳列する形態との間で簡単に変更できる梱包箱を提供することにある。
【課題を解決するための手段】
【０００４】
前記目的を達成するため本発明は、箱本体と、掛止片とを備える梱包箱である。前記箱本体は、幅および長さを有する側面と、前記側面の長手方向の端部に位置する端面とを有している。前記側面は、前記端面寄りの前記側面の箇所に、前記長手方向と交差する方向に延在する第１の切れ目が形成されてこの第１の切れ目と前記端面に臨む前記側面の縁との間の前記側面部分により構成された第１上側ガイド片と、前記第１の切れ目よりも前記長手方向に沿って前記端面から離れた前記側面の箇所に、前記長手方向と交差する方向に延在する第２の切れ目が形成されてこの第２の切れ目と前記第１の切れ目との間の前記側面部分により構成された第１下側ガイド片と、前記第２の切れ目よりも前記長手方向に沿って前記端面から離れた前記側面部分により構成された第２上側ガイド片と、前記第２の切れ目よりも前記長手方向に沿って前記端面から離れた前記側面の箇所に、前記長手方向と交差する方向に第３の切れ目が形成されると共に、前記第３の切れ目の両端から前記長手方向と平行する方向で前記端面から離れる方向に延在する第４の切れ目と第５の切れ目が形成され、それら第３、第４、第５の切れ目により構成された第２下側ガイド片とを備えている。それらガイド片は、それぞれ前記箱本体の内部に臨む内面と前記箱本体の外部に臨む外面とを有している。前記掛止片は、前記第１の切れ目および前記第２の切れ目の長さよりも小さい寸法の幅で延在する小幅部と、前記第２の切れ目の長さよりも大きい寸法の幅で延在する大幅部とを備えている。前記掛止片は、前記小幅部が前記第１上側ガイド片の内面と前記第２上側ガイド片の内面を通り前記第１下側ガイド片の外面に配置され、前記大幅部が前記第２下側ガイド片の外面上に位置して側面の内面に配置されることで前記箱本体に組み込まれる。前記大幅部が前記第２の切れ目の両側の側面部分に係止することで、前記端面からの前記掛止片の最大突出位置が決定される。前記大幅部が第４の切れ目の先端と第５の切れ目の先端との間に位置する前記第２下側ガイド片の基端に係止することで、前記小幅部の先端が前記端面から突出せずに前記第１上側ガイド片の内面に位置する前記掛止片の最大没入位置が決定される。前記最大突出位置において前記端面から離れた前記小幅部の箇所に、フックへの掛止を可能とした掛止部が形成されている。
【発明の効果】
【０００５】
本発明の梱包箱によれば、蓋を閉塞してシールなどで貼着した場合であっても、吊り下げて陳列する形態と、積み重ねて陳列する形態との双方に簡単に対応できる。
【発明を実施するための最良の形態】
【０００６】
以下、本発明の実施の形態を図面にしたがって説明する。
図１は梱包箱の説明図で、（Ａ）は掛止片が没入された状態の斜視図、（Ｂ）は掛止片が突出された状態の斜視図を示す。
また、図２（Ａ）は図１（Ａ）のＡＡ断面図、（Ｂ）は図１（Ｂ）のＢＢ断面図、図３は箱本体の斜視図、図４（Ａ）は掛止片の平面図、（Ｂ）は（Ａ）のＡＡ断面図を示す。
梱包箱１２は、箱本体１４と、掛止片１６とを有している。
本実施の形態では、梱包箱１２はめがね収容用のめがね梱包箱である。箱本体１４と掛止片１６は、共に透明な合成樹脂製の薄板材で形成され、薄板材は弾性変形可能である。
【０００７】
図３に示すように、箱本体１４は、直方体状を呈し、細長い形状を呈する４つの側面１８と、長手方向の両端に位置する２つの端面２０とを有し、一方の端面２０は閉塞され、他方の端面２０は、開閉蓋２０Ａとして形成されている。なお、各側面１８は長方形を呈しており、短辺と長辺を有している。
開閉蓋２０Ａは、端面２０と、端面２０に接続された差込片２２を有し、４つの側面１８の縁１８０２により形成された開口２４上に、折り曲げ片２６を折った上に折られ、差込片２２が１つの側面１８の内面に挿入されて端面２０により開口２４が閉塞される。
なお、このような開閉蓋２０Ａを有する箱本体１４の形状自体は、従来公知の様々な形状、構造が採用可能である。
【０００８】
４つのうちの１つの側面１８に、第１の切れ目３０と、第２の切れ目３２と、第３の切れ目３４と、第４の切れ目３６と、第５の切れ目３８が形成され、それら切れ目により側面に、第１上側ガイド片４０と、第１下側ガイド片４２と、第２上側ガイド片４４と、第２下側ガイド片４６とが形成されている。
第１の切れ目３０は、端面２０寄りの側面１８の箇所に、前記長手方向と直交する方向（側面１８の短辺と平行する方向）に延在形成されている。
第２の切れ目３２は、第１の切れ目３０よりも長手方向に沿って端面２０から離れた側面１８の箇所に、前記長手方向と直交する方向に延在形成されている。
第３の切れ目３４は、第２の切れ目３２よりも長手方向に沿って前記端面２０から離れた側面１８の箇所に、本実施の形態では、第２の切れ目３２に近接した箇所に、前記長手方向と直交する方向に延在形成されている。
第４の切れ目３６と第５の切れ目３８は、第３の切れ目３４の延在方向の両端から前記長手方向と平行する方向（側面１８の長辺と平行する方向）で前記端面２０から離れる方向に同じ長さで延在形成されている。
第１の切れ目３０と第２の切れ目３２は等しい長さで形成され、第３の切れ目３４は第１の切れ目３０と第２の切れ目３２よりも短い長さで形成され、それら切れ目３０、３２、３４は、その延在方向の中心を側面１８の幅方向の中心に合致させて形成されている。
【０００９】
第１上側ガイド片４０は、第１の切れ目３０と、端面２０に臨む側面１８の縁１８０２との間の側面１８部分により構成され、前記長手方向と直交する方向に細長い形状で延在している。
第１下側ガイド片４２は、第１の切れ目３０と第２の切れ目３２との間の側面１８部分により構成されている。
第２上側ガイド片４４は、第２の切れ目３２よりも前記長手方向に沿って端面２０から離れた側面１８部分により構成されている。
本実施の形態では、第３の切れ目３４は、第２の切れ目３２に近接した箇所に形成されているので、第２上側ガイド片４４は、第２の切れ目３２と第３の切れ目３４との間の側面１８部分により構成されている。
第２下側ガイド片４６は、第３の切れ目３４と、第４の切れ目３６と、第５の切れ目３８とにより囲まれた側面１８部分により構成されている。なお、第４の切れ目３６の先端と第５の切れ目３８の先端との間に位置する第２下側ガイド片４６の箇所は、第２下側ガイド片４６の基端４６Ａとなっている。
【００１０】
図４に示すように、掛止片１６は、小幅部５０と大幅部５２とを備えている。
小幅部５０は、第１の切れ目３０および前記第２の切れ目３２の長さよりも小さい寸法の均一の幅で延在形成されている。
大幅部５２は、第２の切れ目３２の長さよりも大きい寸法の均一の幅で延在形成されている。本実施の形態では、大幅部５２は、側面１８の幅よりも僅かに小さい寸法で形成され、掛止片１６が前記長手方向にスライドする際に、大幅部５２の幅方向の両端の縁５２Ａが、側面１８の幅方向の両端に直交する側面１８に接触しつつスライドし、掛止片１６が姿勢を変えることなく円滑に往復直線移動なされるように図られている。
【００１１】
掛止片１６は、小幅部５０が第１上側ガイド片４０の内面と第２上側ガイド片４４の内面を通り第１下側ガイド片４２の外面に配置され、大幅部５２が第２下側ガイド片４６の外面上に位置して側面１８の内面に配置されることで箱本体１４に組み込まれる。なお、掛止片１６の箱本体１４への組み込みは、例えば、大幅部５２を箱本体１４の内部に入れ、次に、大幅部５２の幅方向の中間部を第２下側ガイド片４６の外面上に位置させると共に幅方向の両側部を側面１８の内面に位置させ、小幅部５０を湾曲させつつ第２の切れ目３２、第１の切れ目３０に通すことで行なう。
ここで、第１上側ガイド片４０の内面、第２上側ガイド片４４の内面、側面１８の内面とは、それらガイド片４０、４４と側面１８が箱本体１４の内部に臨む面をいい、第１下側ガイド片４２の外面、第２下側ガイド片４６の外面とは、それらガイド片４２、４４が箱本体１４の外部に臨む面をいう。
【００１２】
図１（Ｂ）に示すように、大幅部５２が第２の切れ目３２の両側の側面１８部分に係止することで、端面２０からの掛止片１６の最大突出位置（イ）が決定される。
また、図１（Ａ）に示すように、大幅部５２が第２下側ガイド片４６の基端４６Ａに係止することで、端面２０からの掛止片１６の最大没入位置（ロ）が決定される。最大没入位置（ロ）において、小幅部５０の先端は、端面２０から突出しない。より詳細には、小幅部５０の先端は、側面１８の縁１８０２（端面２０）と同じ位置に位置するか、あるいは、第１上側ガイド片４０の内面に臨んだ状態で縁１８０２よりも離れた箇所に位置する。
【００１３】
そして、最大突出位置（イ）において端面２０から離れた小幅部５０の箇所に、フックへの係止を可能とした掛止部５４が形成されている。本実施の形態では、掛止部５４は、フックの挿通を可能とした孔として形成されている。なお、掛止部５４の構造は、孔に限定されず、例えば、釣り針状に湾曲形成したものであってもよい。
【００１４】
大幅部５２は、第２下側ガイド片４６の幅よりも大きな幅で前記長手方向に延在形成された矩形状の開口５６を備えている。
そして、大幅部５２は、開口５６よりも小幅部５０寄りに位置し前記長手方向と直交する方向に延在する前部５２０２を有している。
従って、本実施の形態では、大幅部５２が第２下側ガイド片４６の外面上に位置して側面１８の内面に配置される箇所と、大幅部５２が第４の切れ目３６の先端と第５の切れ目３８の先端との間に位置する第２下側ガイド片４６の基端に係止する箇所は、大幅部５２の前部５２０２である。そして、前部５２０２を除いた残りの大幅部５２の部分は、側面１８の内面に配置される。
【００１５】
本実施の形態では、上述のように、掛止片１６が箱本体１４に組み込まれ、掛止片１６が最大突出位置（イ）と最大没入位置（ロ）との間で移動可能である。
したがって、本発明の梱包箱１２によれば、開閉蓋２０Ａを閉塞してシールなどで貼着した場合であっても、めがねを吊り下げて陳列する形態と、積み重ねて陳列する形態との双方に簡単に対応できる。
また、めがねを吊り下げて陳列する形態では、掛止片１６を最大突出位置（イ）にして掛止部５４をフックに確実に掛止できることは無論のこと、掛止片１６を最大没入位置（ロ）とすると、掛止片１６の先端は第１上側ガイド片４０の内面に位置し、大幅部５２の幅方向の両端は、側面１８の内面に位置するので、梱包箱１２を積み重ねる際に、掛止片１６が邪魔になることはなく、したがって、梱包箱１２の積み重ねも簡単に行うことが可能となる。
また、梱包箱１２が透明な合成樹脂製であるため、梱包箱１２に収容され吊り下げられた状態でめがねの形状や色彩を視認できる。したがって、棚や天板にじかにめがねを置いて陳列する場合に比べ、めがねを大量に陳列することが可能となり、陳列場所以外に在庫場所を確保する必要がなくなり、コストダウンを図る上でも極めて有利となる。
【００１６】
次に、図５を参照して変形例について説明する。
なお、上記の実施の形態と同様な箇所、部材には同一の符号を付してその説明を省略する。
図５（Ａ）は変形例にかかる掛止片の平面図、（Ｂ）は変形例にかかる箱本体の平面図で掛止片が最大没入位置に位置した状態の図、（Ｃ）は変形例にかかる箱本体の平面図で掛止片が最大突出位置に位置した状態の図である。
箱本体１４は、第３の切れ目３４と、第４の切れ目３６と、第５の切れ目３８とにより囲まれた側面１８部分により構成された第２下側ガイド片４６を複数（２つ）備えている。
掛止片１６は、図５（Ａ）に示すように、小幅部５０と大幅部５２を備えていればよく、開口５６を有していなくともよい。
掛止片１６は、小幅部５０が第１上側ガイド片４０の内面と第２上側ガイド片４４の内面を通り第１下側ガイド片４２の外面に配置され、大幅部５２が２つの第２下側ガイド片４６の外面上に位置して側面１８の内面に配置される。
図５（Ｃ）に示すように、大幅部５２が第２の切れ目３２の両側の側面１８部分に係止することで、端面２０からの掛止片１６の最大突出位置（イ）が決定される。
また、図５（Ｂ）に示すように、大幅部５２が第２下側ガイド片４６の基端４６Ａに係止することで、端面２０からの掛止片１６の最大没入位置（ロ）が決定される
このような箱本体１４、掛止片１６からなる梱包箱１２によっても前記実施の形態と同様な効果が奏される。
【図面の簡単な説明】
【００１７】
【図１】梱包箱の説明図で、（Ａ）は掛止片が没入された状態の斜視図、（Ｂ）は掛止片が突出された状態の斜視図である。
【図２】（Ａ）は図１（Ａ）のＡＡ断面図、（Ｂ）は図１（Ｂ）のＢＢ断面図である。
【図３】箱本体の斜視図である。
【図４】（Ａ）は掛止片１６の平面図、（Ｂ）は（Ａ）のＡＡ断面図である。
【図５】（Ａ）は変形例にかかる掛止片の平面図、（Ｂ）は変形例にかかる箱本体の平面図で掛止片が最大没入位置に位置した状態の図、（Ｃ）は変形例にかかる箱本体の平面図で掛止片が最大突出位置に位置した状態の図である。
【符号の説明】
【００１８】
１２……梱包箱、１４……箱本体、１６……掛止片、３０……第１の切れ目、３２……第２の切れ目、５０……小幅部、５２……大幅部、４０……第１上側ガイド片、４４……第２上側ガイド片４４、４２……第１下側ガイド片、４６……第２下側ガイド片、５４……掛止部。
【図１】
2008114900.tif 000003
【図２】
2008114900.tif 000004
【図３】
2008114900.tif 000005
【図４】
2008114900.tif 000006
【図５】
2008114900.tif 000007